(57)【要約】  椅子（１００）は、背もたれ（１０２）と、椅子（１００）の在席者（１０１）の頭の高さに対応する位置で背もたれ（１０２）に設置され、背もたれ（１０２）の前方から後方に向かう気流（１０５）を生成する送風ファン（１０３）と、を備える。椅子（１００）は、さらに、在席者（１０１）の頭の高さを検出する在席者検出部（２０５）と、送風ファン（１０３）の高さを調節する昇降モータ（２０３）と、昇降モータ（２０３）を制御する昇降制御部（２０４）と、を備え、昇降制御部（２０４）は、在席者検出部（２０５）により検出された在席者（１０１）の頭の高さに送風ファン（１０３）の高さを合わせるように、昇降モータ（２０３）を制御してもよい。
2020008764.tif 000002
【特許請求の範囲】
【請求項１】
椅子であって、
背もたれと、
前記椅子の在席者の頭の高さに対応する位置で前記背もたれに設置され、前記背もたれの前方から後方に向かう気流を生成する送風ファンと、を備える
椅子。
【請求項２】
前記送風ファンを複数備え、
複数の前記送風ファンは、それぞれ前記背もたれの左右方向に離れて同じ高さに設置されている
請求項１記載の椅子。
【請求項３】
前記椅子は、さらに、前記在席者の頭の高さを検出する在席者検出部と、前記送風ファンの高さを調節する昇降モータと、前記昇降モータを制御する昇降制御部と、を備え、
前記昇降制御部は、前記在席者検出部により検出された前記在席者の頭の高さに前記送風ファンの高さを合わせるように、前記昇降モータを制御する
請求項１又は２記載の椅子。
【請求項４】
前記在席者検出部は、水平方向における所定距離までの物体の有無を検出する複数のセンサから構成され、
前記複数のセンサは、前記椅子の背もたれの前側を検出するように上下方向に配列されており、前記複数のセンサのうち、前記物体を検出した最も上のセンサの高さを前記在席者の頭の高さとして検出する
請求項３記載の椅子。
【請求項５】
前記椅子は、さらに、前記椅子の後方に位置する対象者の頭の位置を検出する後方検出部と、前記送風ファンが生成する前記気流の角度を調整するための角度モータと、前記角度モータを制御する角度制御部と、を備え、
前記角度制御部は、前記後方検出部により検出された前記対象者の頭の位置を回避する方向に前記送風ファンが気流を生成するように、前記角度モータを制御する
請求項１〜４のいずれか１項に記載の椅子。
【請求項６】
前記角度モータは、上下方向の角度を調整し、
前記角度制御部は、前記後方検出部が検出した前記対象者の頭の高さに基づいて、前記気流の上下方向の角度を制御する
請求項５記載の椅子。
【請求項７】
前記背もたれの少なくとも一部は、前記背もたれの前面から背面まで気体が移動可能に通じる通気構造になっており、
前記送風ファンは、前記背もたれの内部に設置されている
請求項１〜６のいずれか１項に記載の椅子。
【請求項８】
前記椅子は、さらに、
前記在席者が所持する前記在席者の属性を識別するための在席者識別タグから前記在席者の属性を取得する取得部と、
前記取得部が取得した前記在席者の属性を識別する識別部と、
前記在席者の属性が所定属性を示すと前記識別部が識別した場合、前記送風ファンに気流を生成させる出力制御部と、を備える
請求項１〜７のいずれか１項に記載の椅子。
【請求項９】
前記取得部は、さらに、前記椅子に近接する近接者が所持する前記近接者の属性を識別するための近接者識別タグから前記近接者の属性を取得し、
前記識別部は、さらに、前記近接者の属性を識別し、
前記出力制御部は、
前記在席者の識別結果と前記近接者の識別結果とが予め定められた識別結果の組み合わせであると前記識別部が識別した場合、前記送風ファンに気流を生成させる
請求項８記載の椅子。
【請求項１０】
前記在席者識別タグには、前記在席者が空気感染する病気に罹患しているか否かを示す在席者情報が前記在席者の属性として記録されており、
前記近接者識別タグには、前記近接者が薬剤師であるか否かを示す近接者情報が前記近接者の属性として記録されており、
前記出力制御部は、前記在席者情報から前記在席者が空気感染する病気に罹患しており、且つ、前記近接者情報から前記近接者が薬剤師であると前記識別部が識別した場合、前記送風ファンに気流を生成させる
請求項９記載の椅子。
【請求項１１】
第１面、前記第１面に対抗する第２面、前記第１面と前記第２面の間に設けられた側面を有する背もたれと、
前記第１面に接続された支持部と、
前記側面に設けられ、かつ、前記第１面に接する第１領域から前記第２面に接する第２領域への気流を発生させる送風ファンを含み、
前記送風ファンは前記気流が通過する筒を有し、
前記筒の仮想中心軸と前記第１面を含む第１仮想面の交点と前記支持部の間の第１距離は、前記支持部に着座した人の顔の下端と前記支持部の間の第２距離より大きく、かつ、前記人の頭の先端と前記支持部の間の第３距離より小さい
椅子。
【発明の詳細な説明】
【技術分野】
【０００１】
本開示は、ウイルス等の空気感染する病気に感染するリスクを低減する椅子に関する。
【背景技術】
【０００２】
近年、高いホスピタリティの提供を行うクリニックが出てきており、そのクリニックでは、薬剤師も受付に常駐し、クリニック内の待合室で待っている患者に対して、医師による診断後の薬の処方を、薬剤師自らが患者の待っている待合室まで足を運んで丁寧に説明しつつ薬の処方をしている。【０００３】
クリニック内の待合室での患者への薬の引き渡しの際に、薬剤師は、薬の説明のためにおのずと患者の顔近辺まで近接しなければいけない必要が生じる。そのため、薬剤師は、例えば、患者が空気感染する病気に罹患しているような場合、患者周辺に浮遊する高濃度にウイルスを含む空気に暴露される機会が多く発生する。これにより、患者が感染している病気に薬剤師が感染するリスク（つまり、感染リスク）が高まる。【０００４】
従来、椅子の周辺を気流で囲うように、当該椅子の周囲の空気を循環させることで、椅子の周囲の空気の移動が制限されたパーソナルスペースを当該椅子の周囲に設けることで、椅子に着座している人（つまり、在席者）の周囲の空気と着座していない人の周囲の空気との空気の移動を抑制する技術がある（例えば、特許文献１参照）。【０００５】
特許文献１に開示された椅子は、空気吸込口から吸いこんだ空気を、ダクト内を移動させ、上部に設置された空気吹出パネルより下方向の向きに移動させることで、椅子に着座した人の周りに空気を循環させる。【０００６】
特許文献２及び特許文献３には、椅子の周囲に気流を生成する構成が開示されている。
【先行技術文献】
【特許文献】
【０００７】
【特許文献１】実開平２−８５９３０号公報
【特許文献２】特開２０００−１７５７７２号公報
【特許文献３】特開２００５−３４８７８３号公報
【発明の概要】
【０００８】
しかしながら、従来の構成の椅子では、上述した薬剤師のように、着座している患者に対して、上述したパーソナルスペースの内側へ積極的に近づいてくる人に対する感染リスクを低減することはできない。
【０００９】
本開示は、空気感染をする病気に罹患している在席者に接近する近接者への感染リスクを低減できる椅子を提供することを目的とする。
【００１０】
本開示の一態様に係る椅子は、背もたれと、前記椅子の在席者の頭の高さに対応する位置で前記背もたれに設置され、前記背もたれの前方から後方に向かう気流を生成する送風ファンと、を備える。
【００１１】
本開示に係る椅子によれば、空気感染をする病気に罹患している在席者に接近する近接者への感染リスクを低減することができる。
【００１２】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１３】
【図１】本開示の実施の形態１に係る椅子の概略斜視図
【図２】本開示の実施の形態１に係る椅子の概略側面図
【図３】本開示の実施の形態２に係る椅子の概略斜視図
【図４】本開示の実施の形態２に係る椅子の概略側面図
【図５】本開示の実施の形態３に係る椅子の概略側面図
【図６】本開示の実施の形態３に係る椅子が実行する送風ファンの制御の処理手順を説明するフローチャート
【図７】本開示の実施の形態４に係る椅子の概略斜視図
【図８】本開示の実施の形態４に係る椅子の概略側面図
【図９】本開示の実施の形態５に係る椅子の概略側面図
【図１０】本開示の実施の形態５に係る椅子が実行する送風ファンの制御の処理手順を説明するフローチャート
【図１１】第１面、第２面、側面、支持部、第１領域、第２領域を説明するための図
【図１２】筒、中心軸、第１距離、第２距離、第３距離を説明するための図
【図１３】第１仮想面、交点を説明するための図
【発明を実施するための形態】
【００１４】
まず、本開示発明の種々の態様について説明する。
【００１５】
本開示の一態様に係る椅子は、背もたれと、前記椅子の在席者の頭の高さに対応する位置で前記背もたれに設置され、前記背もたれの前方から後方に向かう気流を生成する送風ファンと、を備える。
【００１６】
本構成によって、ソファ等の本開示の一態様に係る椅子に座っている在席者の一例である病気に感染している患者に、薬剤師が薬の説明等のために近接した場合に、在席者の頭（具体的には、顔）周辺の空気を背もたれの後方に排除することができるようになる。空気感染する病気の病原となるウイルス等は、特に、患者の呼気、つまり、患者の顔周辺の空気に多く含まれる。そのため、ウイルス濃度が高い空気が存在する在席者の頭周辺の空気を椅子の後方に排除することで、患者の正面から当該患者に近づいてくる薬剤師等の近接者に空気感染する感染リスクを低減することができる。これにより、本開示の一態様に係る椅子によれば、空気感染をする病気に罹患している在席者に接近する近接者への感染リスクを低減することができる。
【００１７】
また、例えば、本開示の一態様に係る椅子は、前記送風ファンを複数備え、複数の前記送風ファンは、それぞれ前記背もたれの左右方向に離れて同じ高さに設置されている。
【００１８】
本構成によって、例えば、本開示の一態様に係る椅子がソファ等の複数人が座ることのできる長椅子である場合においても、複数の送風ファンを、好適に距離を設けて背もたれに配置することで、在席者に接近する近接者への感染リスクを低減することができる。また、複数の送風ファンを、当該複数の送風ファンの間に距離を設けて背もたれに配置することで、椅子に座る在席者によって送風ファンが生成する気流が遮られることを抑制することができる。そのため、在席者に気流が当たることによる座り心地の低減を抑制し、且つ、在席者の顔周辺の空気を背もたれの後方に排除することができる。
【００１９】
また、例えば、本開示の一態様に係る椅子は、さらに、前記在席者の頭の高さを検出する在席者検出部と、前記送風ファンの高さを調節する昇降モータと、前記昇降モータを制御する昇降制御部と、を備え、前記昇降制御部は、前記在席者検出部により検出された前記在席者の頭の高さに前記送風ファンの高さを合わせるように、前記昇降モータを制御する。
【００２０】
本構成によって、在席者の座高が異なる場合にも、在席者の座高に合わせた適切な高さに送風ファンを配置することができる。そのため、このような構成によれば、在席者の顔周辺の空気を適切に背もたれの後方に排除することができる。
【００２１】
また、例えば、前記在席者検出部は、水平方向における所定距離までの物体の有無を検出する複数のセンサから構成され、前記複数のセンサは、前記椅子の背もたれの前側を検出するように上下方向に配列されており、前記複数のセンサのうち、前記物体を検出した最も上のセンサの高さを前記在席者の頭の高さとして検出する。
【００２２】
本構成によって、センサ検出結果をもとに、簡便に在席者の頭の高さを検出することができる。そのため、このような構成によれば、送風ファンを簡便に在席者の頭の位置に配置することができる。
【００２３】
また、例えば、本開示の一態様に係る椅子は、さらに、前記椅子の後方に位置する対象者の頭の位置を検出する後方検出部と、前記送風ファンが生成する前記気流の角度を調整するための角度モータと、前記角度モータを制御する角度制御部と、を備え、前記角度制御部は、前記後方検出部により検出された前記対象者の頭の位置を回避する方向に前記送風ファンが気流を生成するように、前記角度モータを制御する。
【００２４】
本構成によって、椅子の後方に位置する対象者に対して、在席者の顔周辺の空気が直接当たることがないようにすることができる。そのため、このような構成によれば、椅子の後方に位置する対象者への感染リスクもまた低減することができる。
【００２５】
また、例えば、前記角度モータは、上下方向の角度を調整し、前記角度制御部は、前記後方検出部が検出した前記対象者の頭の高さに基づいて、前記気流の上下方向の角度を制御する。
【００２６】
本構成によって、より簡便な構成で椅子の後方に位置する対象者への感染リスクを低減することができる。
【００２７】
また、例えば、前記背もたれの少なくとも一部は、前記背もたれの前面から背面まで気体が移動可能に通じる通気構造になっており、前記送風ファンは、前記背もたれの内部に設置されている。
【００２８】
本構成によって、椅子の見た目がすっきりするとともに、在席者の顔周辺の空気を背もたれの後方に排除することができる。
【００２９】
また、例えば、本開示の一態様に係る椅子は、さらに、前記在席者が所持する前記在席者の属性を識別するための在席者識別タグから前記在席者の属性を取得する取得部と、前記取得部が取得した前記在席者の属性を識別する識別部と、前記在席者の属性が所定属性を示すと前記識別部が識別した場合、前記送風ファンに気流を生成させる出力制御部と、を備える。
【００３０】
本構成によって、出力制御部は、椅子の周囲に空気感染するウイルス等が浮遊されると考えられるタイミングで、送風ファンに気流を生成させることができる。そのため、このような構成によれば、送風ファンを駆動するための消費電力を低減させ、且つ、在席者に接近する近接者への感染リスクを低減することができる。
【００３１】
また、例えば、前記取得部は、さらに、前記椅子に近接する近接者が所持する前記近接者の属性を識別するための近接者識別タグから前記近接者の属性を取得し、前記識別部は、さらに、前記近接者の属性を識別し、前記出力制御部は、前記在席者の識別結果と前記近接者の識別結果とが予め定められた識別結果の組み合わせであると前記識別部が識別した場合、前記送風ファンに気流を生成させる。
【００３２】
本構成によって、出力制御部は、椅子の周囲に空気感染するウイルス等が浮遊されると考えられるタイミングで、送風ファンを駆動させることができる。また、このような構成によれば、送風ファンは、特定の条件を満たさない場合にはオフされる（つまり、気流を生成しない）。そのため、このような構成によれば、消費電力をより低減させ、且つ、感染リスクを低減したい特定の近接者に対して、感染リスクを低減することができる。
【００３３】
また、例えば、前記在席者識別タグには、前記在席者が空気感染する病気に罹患しているか否かを示す在席者情報が前記在席者の属性として記録されており、前記近接者識別タグには、前記近接者が薬剤師であるか否かを示す近接者情報が前記近接者の属性として記録されており、前記出力制御部は、前記在席者情報から前記在席者が空気感染する病気に罹患しており、且つ、前記近接者情報から前記近接者が薬剤師であると前記識別部が識別した場合、前記送風ファンに気流を生成させる。
【００３４】
本構成によって、クリニックで行なわれる診察から薬処方までの一連の流れの中で、薬剤師に対する空気感染する病気に罹患した患者からの空気感染による病気の感染リスクを低減することができる。
【００３５】
以下、本開示の実施の形態について、図面を参照しながら具体的に説明する。
【００３６】
なお、以下で説明する実施の形態は、いずれも包括的又は具体的な例を示すものである。以下の実施の形態で示される数値、形状、材料、構成要素、構成要素の配置位置及び接続形態、ステップ、ステップの順序等は、一例であり、請求の範囲を限定する主旨ではない。また、以下の実施の形態における構成要素のうち、最上位概念を示す独立請求項に記載されていない構成要素については、任意の構成要素として説明される。
【００３７】
また、各図は、必ずしも厳密に図示したものではない。各図において、実質的に同一の構成については同一の符号を付し、重複する説明は省略又は簡略化する。
【００３８】
また、本明細書において、前方とは、椅子に着座した在席者から見て、背もたれとは反対の方向であるとする。
【００３９】
また、本明細書及び図面において、Ｘ軸、Ｙ軸及びＺ軸は、三次元直交座標系の三軸を表している。Ｘ軸及びＹ軸は、互いに直交し、且つ、いずれもＺ軸に直交する軸である。
【００４０】
また、Ｚ軸方向は、例えば、鉛直方向であり、また、Ｚ軸正方向側は、上方と記載される場合がある。また、Ｙ軸正方向側は、前方と記載され、Ｙ軸負方向側は、後方と記載される場合がある。また、Ｘ軸方向は、左右方向と記載される場合がある。
【００４１】
また、本明細書において、椅子に座っている人を在席者と呼称し、椅子の前側に位置する人を近接者と呼称し、椅子の後ろ側に位置する人を対象者と呼称する。
【００４２】
（実施の形態１）
まず、図１及び図２を参照して、実施の形態１に係る椅子について説明する。
【００４３】
図１は、本開示の実施の形態１に係る椅子１００の概略斜視図である。図２は、本開示の実施の形態１に係る椅子１００の概略側面図である。
【００４４】
椅子１００は、椅子１００の座部１に着座した在席者１０１の顔周辺の空気を拡散させる椅子である。具体的には、椅子１００は、在席者１０１の頭（具体的には、顔）周辺に位置する空気を背もたれ１０２の後方へ移動させる椅子である。
【００４５】
椅子１００は、座部１と、背もたれ１０２と、送風ファン１０３と、出力制御部１０６と、電源１０７と、を備える。
【００４６】
座部１は、椅子１００に在席者１０１が着座する座面を有する。図１及び図２には、脚部と一体的に形成された箱体として座部１を示している。なお、例えば、椅子１００は、脚部と、当該脚部と接続され、座面を有する座部とを備えてもよい。
【００４７】
背もたれ１０２は、座部１に着座した在席者１０１を支持する背もたれである。背もたれ１０２は、例えば、座部１に接続されており、座部１の座面に対して垂直に立設されている。
【００４８】
送風ファン１０３は、気流１０５を生成するファンである。具体的には、送風ファン１０３は、椅子１００の在席者１０１の頭の高さ１０４に対応する位置に所定の高さで背もたれ１０２に設置されている。また、送風ファン１０３は、背もたれ１０２の前方から後方に向かう気流１０５を生成する。
【００４９】
背もたれ１０２が椅子１００に設置される個数は、特に限定されず、１以上であればよい。図１及び図２には、椅子１００が送風ファン１０３を２つ備える場合を例示している。図１及び図２に示すように、例えば、椅子１００は、送風ファン１０３を複数備える。この場合、複数の送風ファン１０３は、例えば、それぞれ背もたれ１０２の左右方向に離れて同じ高さ１０４に設置されている。図１及び図２には、２つの送風ファン１０３が、背もたれ１０２の左右の側面のそれぞれに設置されている場合を例示している。複数の送風ファン１０３は、背もたれ１０２の上部に設置されてもよい。
【００５０】
椅子１００が送風ファン１０３を２つ以上備えることによって、例えば、椅子１００がソファ等の複数人が座ることのできる長椅子である場合においても、複数の送風ファン１０３の間の距離を好適に設定することで、在席者１０１に接近する人への感染リスクを低減することができる。また、複数の送風ファン１０３を複数の送風ファン１０３の間に距離を設けて背もたれ１０２に配置することで、椅子１００に座る在席者１０１によって送風ファン１０３が生成する気流１０５が遮られることを抑制することができる。そのため、在席者１０１に気流１０５が当たることによる座り心地の低減を抑制し、且つ、在席者１０１の顔周辺の空気を椅子１００の後方に排除することができる。
【００５１】
なお、複数の送風ファン１０３の間の距離は、特に限定されず、例えば、５０ｃｍ〜１ｍ程度でもよい。
【００５２】
出力制御部１０６は、送風ファン１０３の駆動を制御するための制御装置である。具体的には、出力制御部１０６は、送風ファン１０３のオンオフを制御することで、送風ファン１０３に気流１０５を生成させる、又は、生成させない制御をする。出力制御部１０６は、例えば、制御プログラムを実行するプロセッサと、当該制御プログラムを記憶するメモリとから実現される。
【００５３】
電源１０７は、椅子１００が備える出力制御部１０６、送風ファン１０３等の電子装置に電力を供給するための電源回路である。電源１０７は、例えば、外部商用電源等から供給された電力を変換して、変換した電力を送風ファン１０３等の電子装置に供給する。電源１０７は、例えば、配線等により、出力制御部１０６及び送風ファン１０３と電気的に接続されている。なお、椅子１００は、さらに、電源１０７に電力を供給する図示しないバッテリを備えてもよい。
【００５４】
出力制御部１０６及び電源１０７は、例えば、椅子１００の内部に収容されている。なお、出力制御部１０６及び電源１０７は、椅子１００の外部に設置されてもよい。
【００５５】
上記のように、実施の形態１に係る椅子１００は、背もたれ１０２と、椅子１００の在席者１０１の頭の高さ１０４に対応する位置で背もたれ１０２に設置され、背もたれ１０２の前方から後方に向かう気流１０５を生成することで、在席者１０１の顔周辺の空気を椅子１００の後方に送風する気流１０５を生成する送風ファン１０３を備える。
【００５６】
このような構成によれば、在席者１０１の頭周辺の空気を背もたれ１０２の後方に排出することができるようになる。そのため、もし在席者１０１が空気感染する病気にかかっていた場合にも、接近する近接者への感染リスクを低減することができる。特に、送風ファン１０３を在席者１０１の頭（具体的には、顔）の高さ１０４で背もたれ１０２に設置することで、空気中のウイルス濃度が高いと考えられる在席者１０１の顔周辺の空気を背もたれ１０２の後方に排除することができるようになる。そのため、椅子１００によれば、空気感染をする病気に罹患している在席者１０１に接近する近接者への感染リスクを低減することができる。
【００５７】
椅子１００は、図１、図２、図１１に示すように、第１面１００１、第１面１００１に対抗する第２面１００２、第１面１００１と第２面１００２の間に設けられた側面１００３を含む背もたれ１０２と、第１面１００１に接続された支持部１００４と、側面１００３に設けられ、かつ、第１面１００１に接する第１領域１０１１から第２面１００２に接する第２領域１０１２への気流を発生させる送風ファン１０３を備えてもよい。なお、図１１は、第１面１００１、第２面１００２、側面１００３、支持部１００４、第１領域１０１１、第２領域１０１２を説明するために、図２を簡易に描いた図である。送風ファン１０３は気流が通過する筒１０３１を有してもよい。
【００５８】
図２、図１２、図１３に示すように、筒１０３１の仮想中心軸１０３２と第１面１００１を含む第１仮想面１０３３の交点１０３４と支持部１００４の間の第１距離１０３５は、支持部１００４に着座した在席者１０１の顔の下端と支持部１００４の間の第２距離１０３６より大きく、かつ、在席者１０１の頭の先端と支持部１００４の間の第３距離１０３７より小さくてもよい。なお、図１２は、筒１０３１、中心軸１０３２、第１距離１０３５、第２距離１０３６、第３距離１０３７を説明するために、図２を簡易に描いた図である。なお、図１３は、第１仮想面１０３３、交点１０３４を説明するための図である。
【００５９】
（実施の形態２）
続いて、図３及び図４を参照して、実施の形態２に係る椅子について説明する。
【００６０】
図３は、本開示の実施の形態２に係る椅子２００の概略斜視図である。本開示の実施の形態２に係る椅子２００の概略側面図である。なお、実施の形態２に係る椅子２００の説明において、実施の形態１に係る椅子１００と実質的に同じ構成要素については同じ符号を用い、説明を省略する。また、図３及び図４においては、在席者１０１の図示を省略している。
【００６１】
椅子２００は、椅子１００と同様に、椅子１００の座部１に着座した在席者１０１の顔周辺の空気を拡散させる椅子である。具体的には、椅子２００は、在席者１０１の顔周辺の空気を背もたれ１０２の前方から後方へ移動させる椅子である。
【００６２】
実施の形態２に係る椅子２００は、実施の形態１に係る椅子１００の構成に加えて、さらに、在席者検出部２０５と、昇降ガイド２０２と、昇降モータ２０３と、昇降制御部２０４と、を備える。
【００６３】
在席者検出部２０５は、在席者１０１の頭の高さ１０４を検出する。在席者検出部２０５は、例えば、複数のセンサ２０１を備える。
【００６４】
複数のセンサ２０１は、椅子２００の背もたれ１０２の前側を検出するように上下方向に配列されており、検出した最も上のセンサ２０１の高さを在席者１０１の頭の高さ１０４として検出する。センサ２０１は、例えば、椅子２００の前方であって、水平方向の所定の距離（例えば、１０ｃｍ等）内における物体の有無を検出する距離センサである。センサ２０１は、例えば、光学式のアクティブ型センサでもよいし、超音波センサ、接触式センサ等でもよい。
【００６５】
在席者検出部２０５が物体の有無を検出する複数のセンサ２０１により実現されることで、センサ２０１の検出結果をもとに、在席者１０１の頭の高さ１０４を簡便に検出することができる。そのため、このような構成によれば、送風ファン１０３を簡便に在席者１０１の頭の高さ１０４に配置することができる。
【００６６】
昇降ガイド２０２は、昇降制御部２０４が昇降モータ２０３を駆動させることで、送風ファン１０３を昇降させるためのガイドである。
【００６７】
昇降モータ２０３は、昇降ガイド２０２に沿って昇降することで、送風ファン１０３を昇降させるためのモータである。
【００６８】
昇降ガイド２０２及び昇降モータ２０３は、例えば、一軸ステージであり、送風ファン１０３と接続されている。
【００６９】
昇降制御部２０４は、昇降モータ２０３を駆動させることで、送風ファン１０３を昇降させるための制御装置である。昇降制御部２０４は、例えば、制御プログラムを実行するプロセッサと、当該制御プログラムを記憶するメモリとから実現される。
【００７０】
送風ファン１０３、在席者検出部２０５、昇降モータ２０３、出力制御部１０６、昇降制御部２０４、及び、電源１０７は、配線等により電気的に接続されている。
【００７１】
上記のように、実施の形態２に係る椅子２００は、実施の形態１に係る椅子１００の構成に加えて、さらに、椅子２００の背もたれ１０２の前面に、背もたれ１０２前方の向きに物体の有無を検出するセンサ２０１が上下方向に複数配列されている。在席者１０１が椅子２００に着座した際には、センサ２０１に検出されることとなるため、最も高い高さで検出されたセンサ２０１における高さが在席者１０１の座高（つまり、頭の高さ１０４）を反映することとなる。このようにセンサ２０１により検出された検出結果を用いて、昇降制御部２０４により昇降モータ２０３を制御し、送風ファン１０３の高さを在席者１０１の頭の高さ１０４に調整する。
【００７２】
このような構成によれば、在席者１０１の座高に対応した高さ１０４に送風ファン１０３の高さを調整することができる。そのため、このような構成によれば、椅子２００は、座高の異なる様々な在席者１０１に対しても、適切に在席者１０１の顔周辺の空気を背もたれ１０２の前方から後方へ排出することができる。
【００７３】
なお、本実施の形態において、在席者検出部２０５は、在席者１０１の頭の高さ１０４を距離センサによるセンサ２０１で検出したが、これに限定させるものではなく、例えば、センサ２０１は、カメラでもよい。当該カメラを用いて取得した画像の処理結果から、在席者検出部２０５は、在席者１０１の頭の高さ１０４を検出してもよい。
【００７４】
また、昇降制御部２０４は、複数のセンサ２０１の検出結果に基づいて送風ファン１０３の高さを調整した。ここで、出力制御部１０６もまた、センサ２０１の検出結果を用いてもよい。例えば、出力制御部１０６は、センサ２０１のすべてが物体を検出していない場合を在席者１０１がいない状態（つまり、椅子２００に着座している人がいない状態）であるとして、送風ファン１０３をオフ（つまり、送風ファン１０３に気流を生成させない状態）にし、センサ２０１のいずれかが物体を検出した場合を在席者１０１がいる状態であるとして、送風ファン１０３をオン（つまり、送風ファン１０３に気流を生成させる状態）にしてもよい。
【００７５】
（実施の形態３）
続いて、図５及び図６を参照して、実施の形態３に係る椅子について説明する。
【００７６】
図５は、本開示の実施の形態３に係る椅子３００の概略側面図である。なお、実施の形態３に係る椅子３００の説明において、実施の形態１に係る椅子１００又は実施の形態２に係る椅子２００と実質的に同じ構成要素については同じ符号を用い、説明を省略する。また、図５においては、在席者１０１の図示を省略している。
【００７７】
椅子３００は、椅子１００と同様に、椅子３００の座部１に着座した在席者１０１の顔周辺の空気を拡散させる椅子である。具体的には、椅子３００は、在席者１０１の顔周辺の空気を背もたれ１０２の前方から後方へ移動させる椅子である。
【００７８】
実施の形態３に係る椅子３００は、実施の形態２に係る椅子２００の構成に加えて、さらに、角度モータ３０１と、後方検出部３０２と、角度制御部３０４と、を備える。
【００７９】
角度モータ３０１は、送風ファン１０３の向きを調整するためのモータである。具体的には、角度モータ３０１は、送風ファン１０３の姿勢を調整することで、送風ファン１０３が生成する気流１０５ａの向きを制御する。つまり、角度モータ３０１は、送風ファン１０３が生成する気流１０５ａの角度（制御角度３０５）を調整する。角度モータ３０１は、例えば、上下方向（Ｘ軸方向を軸とする回転方向）の角度を調整する。
【００８０】
後方検出部３０２は、椅子３００の後方に位置する人物である対象者３０３が存在するか否かを検出する。具体的には、後方検出部３０２は、対象者３０３の頭の位置を検出する。例えば、後方検出部３０２は、対象者３０３の頭の高さ１０４ａを検出する。
【００８１】
後方検出部３０２は、例えば、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサを有するカメラである。
【００８２】
角度制御部３０４は、角度モータ３０１を制御することで、椅子３００の後方に位置する対象者３０３の頭部に向けて気流１０５ａが生成されないように、送風ファン１０３の姿勢を変更させるための制御装置である。具体的には、角度制御部３０４は、後方検出部３０２により検出された対象者３０３の頭の位置を回避する方向に、送風ファン１０３が気流１０５ａを生成するように、角度モータ３０１を制御する。例えば、角度制御部３０４は、後方検出部３０２が検出した対象者３０３の頭の高さ１０４ａに基づいて、気流１０５ａの上下方向（Ｘ軸方向を軸とする回転方向）の制御角度３０５を制御する。
【００８３】
角度制御部３０４は、例えば、制御プログラムを実行するプロセッサと、当該制御プログラムを記憶するメモリとから実現される。
【００８４】
送風ファン１０３、角度モータ３０１、後方検出部３０２、角度制御部３０４、在席者検出部２０５、昇降モータ２０３、出力制御部１０６、昇降制御部２０４、及び、電源１０７は、配線等により電気的に接続されている。
【００８５】
上記のように、実施の形態３に係る椅子３００は、実施の形態１に係る椅子１００の構成に加えて、さらに、椅子３００の背もたれ１０２の後方に位置する対象者３０３の有無を検出するための後方検出部３０２を備える。また、椅子３００の後方に対象者３０３が存在する場合は、後方検出部３０２によって対象者３０３の身長の高さ（具体的には、対象者３０３の頭部の位置）を検出し、角度制御部３０４は、後方検出部３０２の検出結果に基づいて角度モータ３０１を制御する。具体的には、角度制御部３０４は、少なくとも後方の対象者３０３の頭の高さとは異なる上下方向の制御角度３０５（具体的に例えば、後方の対象者３０３の頭の高さと送風ファン１０３の高さが同じ場合、２０度程度上方の角度）になるように、角度モータ３０１を制御することで、送風ファン１０３の姿勢を制御する。こうすることで、角度制御部３０４は、少なくとも後方の対象者３０３の頭に気流１０５ａが生成されないように、制御角度３０５を制御する。
【００８６】
図６は、本開示の実施の形態３に係る椅子３００が実行する送風ファン１０３の制御の処理手順を説明するフローチャートである。
【００８７】
まず、在席者検出部２０５は、在席者１０１の頭の高さ（例えば、図４に示す高さ１０４）を検出する（ステップＳ１０１）。
【００８８】
次に、昇降制御部２０４は、在席者１０１の頭の高さ１０４まで送風ファン１０３を移動させる（ステップＳ１０２）。
【００８９】
次に、後方検出部３０２は、椅子３００の後方に対象者３０３が存在するか否かを示す後方情報を取得する（ステップＳ１０３）。ここで、後方情報は、例えば、画像である。例えば、ステップＳ１０３では、後方検出部３０２は、椅子３００の後方を撮像することで、後方情報を取得する。
【００９０】
次に、後方検出部３０２は、ステップＳ１０３で取得した後方情報から、椅子３００の後方に対象者３０３が存在するか否かを判定する（ステップＳ１０４）。ステップＳ１０４において、後方検出部３０２は、例えば、ステップＳ１０３で取得した後方情報の一例である画像を解析することで、椅子３００の後方に対象者３０３が存在するか否かを判定する。
【００９１】
後方検出部３０２は、椅子３００の後方に対象者３０３が存在すると判定した場合（ステップＳ１０４でＹｅｓ）、さらに、対象者３０３の頭の位置（具体的には、対象者３０３の頭の高さ１０４ａ）を検出する（ステップＳ１０５）。ステップＳ１０５において、後方検出部３０２は、例えば、ステップＳ１０３で取得した後方情報が画像である場合、当該画像を解析することで対象者３０３の頭の高さ１０４ａを検出する。
【００９２】
次に、角度制御部３０４は、ステップＳ１０５で後方検出部３０２が検出した対象者３０３の頭の高さ１０４ａに基づいて、送風ファン１０３の向き（具体的には、姿勢）を制御する（ステップＳ１０６）。ステップＳ１０６において、角度制御部３０４は、例えば、送風ファン１０３が生成する気流１０５ａが対象者３０３の頭部に向かないように、角度モータ３０１を制御することで、制御角度３０５を制御する。
【００９３】
ステップＳ１０６の次に、又は、後方検出部３０２が椅子３００の後方に対象者３０３が存在しないと判定した場合（ステップＳ１０４でＮｏ）、出力制御部１０６は、送風ファン１０３を駆動することで送風ファン１０３に気流１０５ａを生成させる（ステップＳ１０７）。
【００９４】
上記のように、椅子３００は、椅子２００の構成に加えて、さらに、椅子３００の後方に位置する対象者３０３の頭の位置を検出する後方検出部３０２と、送風ファン１０３が生成する気流１０５ａの角度（制御角度３０５）を調整するための角度モータ３０１と、角度モータ３０１を制御する角度制御部３０４と、を備える。角度制御部３０４は、後方検出部３０２により検出された対象者３０３の頭の位置を回避する方向に送風ファン１０３が気流１０５ａを生成するように、角度モータ３０１を制御する。
【００９５】
このような構成によれば、もし椅子３００の後方に対象者３０３がいた場合にも、その角度を避けるように在席者１０１の顔周辺の空気を拡散させることができるため、つまり、椅子３００によれば、椅子３００の後方に位置する対象者３０３に対して、在席者１０１の顔周辺の空気が直接当たることがないようにすることができる。そのため、椅子３００によれば、後方の対象者３０３に対する感染リスクを上昇させることなく、且つ、在席者１０１に接近する近接者の感染リスクを低減することができる。
【００９６】
なお、本実施の形態において、角度制御部３０４は、送風ファン１０３が生成する気流１０５ａの上下方向の制御角度３０５を、角度モータ３０１を制御することで制御するとしたが、上下方向だけではなく、左右方向（Ｙ軸方向を軸とする回転方向）の角度もまた制御されてよい。
【００９７】
このような構成によってもまた、後方の対象者３０３に対する感染リスクを、上昇させることなく、在席者１０１に前方から接近する近接者の感染リスクを低減することができる。
【００９８】
なお、角度モータ３０１は、上下方向の角度を調整し、角度制御部３０４は、後方検出部３０２が検出した対象者３０３の頭の高さに基づいて、気流１０５ａの上下方向の角度（制御角度３０５）を制御してもよい。
【００９９】
このような構成によれば、より簡便な構成で椅子３００の後方に位置する対象者３０３への感染リスクを低減することができる。
【０１００】
（実施の形態４）
続いて、図７及び図８を参照して、実施の形態４に係る椅子について説明する。
【０１０１】
図７は、本開示の実施の形態４に係る椅子４００の概略斜視図である。図８は、本開示の実施の形態４に係る椅子４００の概略側面図である。なお、実施の形態４に係る椅子の説明において、実施の形態１に係る椅子１００と同じ構成要素については同じ符号を用い、説明を省略する。また、図７及び図８においては、在席者１０１の図示を省略している。
【０１０２】
椅子４００は、椅子１００と同様に、椅子４００の座部１に着座した在席者１０１の顔周辺の空気を拡散させる椅子である。具体的には、椅子４００は、在席者１０１の顔周辺の空気を背もたれ４０１の前方から後方へ移動させる椅子である。
【０１０３】
実施の形態４に係る椅子４００は、背もたれ４０１が通気構造を有し、送風ファン１０３が椅子４００（具体的には、背もたれ４０１）の内部に位置している点が、実施の形態１に係る椅子１００とは異なる。
【０１０４】
図７及び図８に示すように、椅子４００の背もたれ４０１は、通気構造を有する。図７及び図８には、通気構造の一例として、メッシュ構造を有する布等により外面が形成された背もたれ４０１を例示している。
【０１０５】
背もたれ４０１は、例えば、全面がメッシュ構造で形成されており、背もたれ４０１の前面から背面に向けて通気性を有する。また、送風ファン１０３は、背もたれ４０１内部であって、在席者１０１の頭の高さ１０４に配置されている。背もたれ４０１は、例えば、背もたれ４０１の骨格となる棒状のフレームと、当該フレームを覆い、メッシュ構造を有する布等とにより構成されている。
【０１０６】
このような構成によれば、外から椅子４００見た場合には、送風ファン１０３を背もたれ４０１の内部に隠すことができるため通常の椅子と変わりがないため見た目にすっきりするとともに、在席者１０１の頭に近接した位置に送風ファン１０３を位置させることができる。そのため、椅子４００によれば、椅子４００を見た人に送風ファン１０３の存在を気づかれにくくしつつ、且つ、在席者１０１の顔周辺の空気を椅子４００の後方に排除することができるため、在席者１０１に接近する近接者の感染リスクを低減することができる。
【０１０７】
なお、本実施の形態においては、背もたれ４０１の全面を通気構造としたが、必ずしも背もたれ４０１の全面が通気構造である必要はない。例えば、送風ファン１０３が生成する気流１０５が通過する背もたれ４０１の位置が通気性を有し、他の箇所は通気性を有しなくてもよい。
【０１０８】
（実施の形態５）
続いて、図９及び図１０を参照して、実施の形態５に係る椅子について説明する。
【０１０９】
図９は、本開示の実施の形態５に係る椅子５００の概略側面図である。なお、実施の形態５に係る椅子５００の説明において、実施の形態１に係る椅子１００と同じ構成要素については同じ符号を用い、説明を省略する。
【０１１０】
椅子５００は、椅子１００と同様に、椅子５００の座部１に着座した在席者５０３の顔周辺の空気を拡散させる椅子である。具体的には、椅子５００は、在席者５０３の顔周辺の空気を背もたれ１０２の前方から後方へ移動させる椅子である。
【０１１１】
実施の形態５に係る椅子５００は、実施の形態１に係る椅子１００の構成に加えて、さらに、取得部５０５と、識別部５０６と、を備える。また、椅子５００が備える出力制御部５０７は、識別部５０６の識別結果に基づいて送風ファン１０３のオンオフを制御する。
【０１１２】
取得部５０５は、在席者５０３が所持する在席者５０３の属性を識別するための在席者識別タグ５０４から在席者５０３の属性を取得する。
【０１１３】
例えば、取得部５０５は、さらに、椅子５００に近接する近接者５０１が所持する近接者５０１の属性を識別するための近接者識別タグ５０２から近接者５０１の属性を取得する。
【０１１４】
ここで、属性とは、在席者５０３又は近接者５０１の性別、年齢等を示すものでもよいし、在席者５０３又は近接者５０１の職業、疾患情報等でもよい。
【０１１５】
在席者５０３は、例えば、空気感染する病気に罹患している患者であり、近接者５０１は、例えば、在席者５０３に薬を処方する薬剤師である。
【０１１６】
在席者識別タグ５０４及び近接者識別タグ５０２は、例えば、ＲＦＩＤ（Ｒａｄｉｏ  Ｆｒｅｑｕｅｎｃｙ  Ｉｄｅｎｔｉｆｉｃａｔｉｏｎ）タグであり、在席者５０３又は近接者５０１の属性を示す情報を常時周囲に発信している。
【０１１７】
在席者識別タグ５０４には、例えば、在席者５０３が空気感染する病気に罹患しているか否かを示す在席者情報が在席者５０３の属性として記録されている。また、近接者識別タグ５０２には、例えば、近接者５０１が薬剤師であるか否かを示す近接者情報が近接者５０１の属性として記録されている。
【０１１８】
取得部５０５は、例えば、在席者識別タグ５０４及び近接者識別タグ５０２から、在席者５０３又は近接者５０１の属性を示す情報を無線通信で取得するための通信インターフェースである。
【０１１９】
識別部５０６は、取得部５０５が取得した在席者５０３の属性を識別する。識別部５０６は、例えば、制御プログラムを実行するプロセッサと、当該制御プログラムを記憶するメモリとから実現される。
【０１２０】
出力制御部５０７は、例えば、識別部５０６が在席者５０３の属性が所定属性を示すと識別した場合、送風ファン１０３に気流１０５を生成させる。出力制御部５０７は、例えば、制御プログラムを実行するプロセッサと、当該制御プログラムを記憶するメモリとから実現される。
【０１２１】
識別部５０６は、例えば、在席者５０３の属性が所定属性を示すか否かを識別する。ここで、所定属性とは、予め任意に定められてよく、在席者５０３が罹患している病気の情報、在席者５０３の年齢、在席者５０３の性別等、特に限定されない。例えば、所定属性が、「在席者５０３が空気感染する病気に罹患している患者」であり、識別部５０６が、取得部５０５が取得した在席者情報を「在席者５０３が空気感染する病気に罹患している患者」を示す属性であると識別した場合、出力制御部５０７は、送風ファン１０３に気流１０５を生成させる。なお、所定属性は、単に、送風ファン１０３をオンさせる、又は、オフさせることを示す情報でもよい。
【０１２２】
また、例えば、出力制御部５０７は、在席者５０３の識別結果と近接者５０１の識別結果とが予め定められた識別結果の組み合わせであると識別部５０６が識別した場合、送風ファン１０３に気流１０５を生成させる。また、例えば、出力制御部５０７は、在席者５０３の識別結果と近接者５０１の識別結果とがあらかじめ定められた識別結果の組み合わせでないと識別部５０６が識別した場合、送風ファン１０３に気流１０５を生成させない。
【０１２３】
ここで、あらかじめ定められた識別結果の組み合わせは、任意でよく、特に限定されない。例えば、あらかじめ定められた識別結果の組み合わせは、在席者５０３の識別結果が「空気感染する病気に罹患している患者」であり、近接者５０１の識別結果が「クリニックに勤務する勤務者」でもよい。また、例えば、あらかじめ定められた識別結果の組み合わせは、在席者５０３の識別結果が「空気感染する病気に罹患している患者」であり、近接者５０１の識別結果が「薬剤師」でもよい。
【０１２４】
出力制御部５０７は、例えば、在席者情報から在席者５０３が空気感染する病気に罹患しており、且つ、近接者情報から近接者５０１が薬剤師であると識別部５０６が識別した場合、送風ファン１０３に気流１０５を生成させる。
【０１２５】
送風ファン１０３、取得部５０５、識別部５０６、出力制御部５０７、及び、電源１０７は、配線等により電気的に接続されている。
【０１２６】
図１０は、本開示の実施の形態５に係る椅子５００が実行する送風ファン１０３の制御の処理手順を説明するフローチャートである。
【０１２７】
まず、取得部５０５は、在席者５０３の属性を示す在席者情報を取得する（ステップＳ２０１）。
【０１２８】
次に、識別部５０６は、取得部５０５が取得した在席者属性から、在席者５０３が空気感染する病気に罹患しているか否かを識別する（ステップＳ２０２）。
【０１２９】
識別部５０６によって在席者５０３が空気感染する病気に罹患していないと識別された場合（ステップＳ２０２でＮｏ）、処理をステップＳ２０１へ戻す。
【０１３０】
一方、識別部５０６によって在席者５０３が空気感染する病気に罹患していると識別された場合（ステップＳ２０２でＹｅｓ）、取得部５０５は、さらに、近接者５０１の属性を示す近接者情報を取得する（ステップＳ２０３）。
【０１３１】
次に、識別部５０６は、取得部５０５が取得した近接者情報から、近接者５０１が薬剤師であるか否かを識別する（ステップＳ２０４）。
【０１３２】
識別部５０６によって近接者５０１が薬剤師ではないと識別された場合（ステップＳ２０４でＮｏ）、処理をステップＳ２０１へ戻す。
【０１３３】
一方、識別部５０６によって近接者５０１が薬剤師であると識別された場合（ステップＳ２０４でＹｅｓ）、出力制御部５０７は、送風ファン１０３を駆動させることで、送風ファン１０３に気流１０５を生成させる（ステップＳ２０５）。
【０１３４】
上記のように、実施の形態５に係る椅子５００は、実施の形態１に係る椅子１００の構成に加えて、さらに、在席者５０３が所持する在席者５０３の属性を識別するための在席者識別タグ５０４から在席者５０３の属性を取得する取得部５０５と、取得部５０５が取得した在席者５０３の属性を識別する識別部５０６と、在席者５０３の属性が所定属性を示すと識別部５０６が識別した場合、送風ファン１０３に気流１０５を生成させる出力制御部５０７と、を備える。
【０１３５】
このような構成によれば、出力制御部５０７は、椅子の周囲に空気感染するウイルス等が浮遊されると考えられるタイミングで、送風ファン１０３に気流１０５を生成させることができる。そのため、このような構成によれば、送風ファン１０３を駆動するための消費電量を低減させ、且つ、在席者５０３に接近する近接者５０１への感染リスクを低減することができる。
【０１３６】
例えば、取得部５０５は、さらに、椅子５００に近接する近接者５０１が所持する近接者５０１の属性を識別するための近接者識別タグ５０２から近接者５０１の属性を取得し、識別部５０６は、さらに、近接者５０１の属性を識別する。出力制御部５０７は、例えば、在席者５０３の識別結果と近接者５０１の識別結果とが予め定められた識別結果の組み合わせであると識別部５０６が識別した場合、送風ファン１０３に気流１０５を生成させる。
【０１３７】
このような構成によれば、在席者５０３と近接者５０１とがあらかじめ定めた組み合わせでなかった場合には、送風ファン１０３を止めておくことができる。また、椅子５００によれば、椅子５００の周囲に空気感染するウイルス等が浮遊されると考えられるタイミングで、送風ファン１０３を駆動させることができる。また、送風ファン１０３は、特定の条件を満たさない場合にはオフされる（つまり、気流１０５を生成しない）。そのため、椅子５００によれば、消費電力をより低減させ、且つ、感染リスクを低減したい特定の近接者５０１に対して、感染リスクを低減することができる。
【０１３８】
また、例えば、在席者識別タグ５０４には、在席者５０３が空気感染する病気に罹患しているか否かを示す在席者情報が在席者５０３の属性として記録されている。また、例えば、近接者識別タグ５０２には、近接者５０１が薬剤師であるか否かを示す近接者情報が近接者５０１の属性として記録されている。この場合、出力制御部５０７は、例えば、在席者情報から在席者５０３が空気感染する病気に罹患しており、且つ、近接者情報から近接者５０１が薬剤師であると識別部５０６が識別した場合、送風ファン１０３に気流１０５を生成させる。
【０１３９】
このように、在席者５０３と近接者５０１との組み合わせは、例えば、インフルエンザ等の空気感染を起こす病気を罹患した患者と薬剤師との組み合わせが考えられる。このような組み合わせを識別部５０６が識別した場合に、送風ファン１０３に気流１０５を生成させるようにすることで、薬剤師が患者に対して薬の処方と薬に関する説明とをするためにやむを得ず接近する必要が生じた場合においても、薬剤師への病気の感染リスクを低減することができる。つまり、椅子５００によれば、クリニックで行なわれる診察から薬処方までの一連の流れの中で、薬剤師に対する空気感染する病気に罹患した患者からの空気感染による病気の感染リスクを低減することができる。
【０１４０】
なお、在席者識別タグ５０４の機能は、診察券、保険証等に組み込まれてもよいし、近接者識別タグ５０２の機能は、薬剤師の名札等に組み込まれてもよい。このようにすると、在席者５０３又は近接者５０１は、在席者識別タグ５０４又は近接者識別タグ５０２を別途所持する必要がなくなる。また、出力制御部５０７は、在席者識別タグ５０４から取得部５０５が在席者５０３の属性を取得し続けている場合に、送風ファン１０３を比較的弱く作動させ、さらに、取得部５０５が近接者識別タグ５０２から近接者５０１の属性を取得し、在席者５０３の属性と近接者５０１の属性との組み合わせが上記に示す条件を満たすと識別部５０６が識別した場合に、送風ファン１０３を比較的強く作動させるという制御を行ってもよい。
【０１４１】
（その他の実施の形態）
以上、本開示の実施の形態に係る椅子について、各実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、本開示の一つ又は複数の態様の範囲内に含まれてもよい。
【０１４２】
例えば、上記実施の形態において、出力制御部１０６、昇降制御部２０４、角度制御部３０４、識別部５０６等の実行部の構成要素の全部又は一部は、専用のハードウェアで構成されてもよく、或いは、各構成要素に適したソフトウェアプログラムを実行することによって実現されてもよい。各構成要素は、ＣＰＵ（Ｃｅｎｔｒａｌ  Ｐｒｏｃｅｓｓｉｎｇ  Ｕｎｉｔ）又はプロセッサ等のプログラム実行部が、ＨＤＤ（Ｈａｒｄ  Ｄｉｓｋ  Ｄｒｉｖｅ）又は半導体メモリ等の記録媒体に記録されたソフトウェアプログラムを読み出して実行することによって実現されてもよい。
【０１４３】
また、実行部の構成要素は、１つ又は複数の電子回路で構成されてもよい。１つ又は複数の電子回路は、それぞれ、汎用的な回路でもよいし、専用の回路でもよい。
【０１４４】
１つ又は複数の電子回路には、例えば、半導体装置、ＩＣ（Ｉｎｔｅｇｒａｔｅｄ  Ｃｉｒｃｕｉｔ）又はＬＳＩ（Ｌａｒｇｅ  Ｓｃａｌｅ  Ｉｎｔｅｇｒａｔｉｏｎ）等が含まれてもよい。ＩＣ又はＬＳＩは、１つのチップに集積されてもよく、複数のチップに集積されてもよい。ここでは、ＩＣ又はＬＳＩと呼んでいるが、集積の度合いによって呼び方が変わり、システムＬＳＩ、ＶＬＳＩ（Ｖｅｒｙ  Ｌａｒｇｅ  Ｓｃａｌｅ  Ｉｎｔｅｇｒａｔｉｏｎ）、又は、ＵＬＳＩ（Ｕｌｔｒａ  Ｌａｒｇｅ  Ｓｃａｌｅ  Ｉｎｔｅｇｒａｔｉｏｎ）と呼ばれるかもしれない。また、ＬＳＩの製造後にプログラムされるＦＰＧＡ（Ｆｉｅｌｄ  Ｐｒｏｇｒａｍｍａｂｌｅ  Ｇａｔｅ  Ａｒｒａｙ）も同じ目的で使うことができる。
【０１４５】
また、例えば、本開示に係る椅子は、脚部を有していてもよいし、有していなくてもよい。また、本開示に係る椅子は、ひじ掛けを有していてもよいし、有していなくてもよい。
【０１４６】
また、例えは、本開示に係る椅子は、一人がけ用の座席でもよいし、複数人が腰かけるためのソファ、ベンチ等でもよい。
【０１４７】
その他、各実施の形態に対して当業者が思いつく各種変形を施して得られる形態や、本開示の趣旨を逸脱しない範囲で各実施の形態における構成要素及び機能を任意に組み合わせることで実現される形態も本開示に含まれる。
【産業上の利用可能性】
【０１４８】
本開示に係る椅子は、在席者に接近する人に対する感染リスクを低減する機能を有し、病院又はクリニック等の待合室で使用する椅子として有用である。また、本開示に係る椅子は、診察室における担当医での感染リスクの低減用途にも応用できる。
【符号の説明】
【０１４９】
１  座部
１００、２００、３００、４００、５００  椅子
１０１、５０３  在席者
１０２、４０１  背もたれ
１０３  送風ファン
１０４、１０４ａ  高さ
１０５、１０５ａ  気流
１０６、５０７  出力制御部
１０７  電源
２０１  センサ
２０２  昇降ガイド
２０３  昇降モータ
２０４  昇降制御部
２０５  在席者検出部
３０１  角度モータ
３０２  後方検出部
３０３  対象者
３０４  角度制御部
３０５  制御角度
５０１  近接者
５０２  近接者識別タグ
５０４  在席者識別タグ
５０５  取得部
５０６  識別部
【図１】
2020008764.tif 000003
【図２】
2020008764.tif 000004
【図３】
2020008764.tif 000005
【図４】
2020008764.tif 000006
【図５】
2020008764.tif 000007
【図６】
2020008764.tif 000008
【図７】
2020008764.tif 000009
【図８】
2020008764.tif 000010
【図９】
2020008764.tif 000011
【図１０】
2020008764.tif 000012
【図１１】
2020008764.tif 000013
【図１２】
2020008764.tif 000014
【図１３】
2020008764.tif 000015
【国際調査報告】
2020008764.tif 000016
2020008764.tif 000017
2020008764.tif 000018
2020008764.tif 000019